(57)【特許請求の範囲】
【請求項１】
電話回線へ音声信号を送る送話回路と、電話回線からの音声信号を受ける受話回路と、通話中に第３者からの呼出しがあった時に局交換機から入力されるアラート信号を検知するためのアラート信号検知手段と、電話回線から到来する発呼者情報を検出する発呼者情報検出手段と、アラート信号が送られた後から局交換機が発した発呼者情報を受信する時に前記送話回路にミュートをかけるミュート制御手段と、前記発呼者情報検出手段により検出された発呼者情報を表示装置に表示させる制御手段とを有し、前記制御手段は、第３者からの呼出しに応答したか否かの応答情報を記憶装置に記憶させることを特徴とする電話装置。
【請求項２】
電話回線に接続された親機と、前記親機との間で無線通信が可能な子機から成る電話装置であって、前記親機は、電話回線へ音声信号を送る送話回路と、電話回線からの音声信号を受ける受話回路と、通話中に第３者からの呼出しがあった時に局交換機から入力されるアラート信号を検知するためのアラート信号検知手段と、電話回線から到来する発呼者情報を検出する発呼者情報検出手段と、アラート信号が送られた後から局交換機が発した発呼者情報を受信する時に前記送話回路にミュートをかけるミュート制御手段と、前記発呼者情報検出手段により検出された発呼者情報を記憶装置に記憶させる親機制御手段と、前記記憶された発呼者情報を発呼者情報信号として送信する発呼者情報送信手段とを備え、前記子機は、前記親機からの発呼者情報信号を受信して前記発呼者情報を検出する発呼者情報受信手段を備え、前記親機制御手段は、第３者からの呼出しに前記子機が応答したか否かの応答情報を前記子機から受信して記憶装置に記憶させることを特徴とする電話装置。
【発明の詳細な説明】
【技術分野】
【０００１】
本発明は、通話中に第３者から呼出しがあったとき、呼出しがあったことを通話中の被呼者に知らせる電話装置に関するものである。
【背景技術】
【０００２】
通話中に他の加入者から呼びあったとき、通話中の加入者に呼びが有ることを知らせ、通話中加入者の指示に応じて通話相手の切替えを可能とする電話局のサービス（以下、「コールウェイティング」という）がある。
【０００３】
図１０はコールウェイティングを説明するための説明図である。図１０に示すように、加入者Ａと加入者Ｂが通話中、加入者Ｃ（第３者）が加入者Ａを呼ぶ発信を行うと、局交換機４０は加入者Ａへ他からの呼びが有ることを知らせる可聴信号を送る。加入者Ａはこの可聴信号によって他からの呼びが有ることを知り、加入者Ａが加入者Ｃとの通話を希望する場合、通話相手切替えを依頼する信号を局交換機４０へ送信する。この信号により局交換機４０は加入者Ａと加入者Ｃとの間に通話路を開き、加入者Ｂを待機させる。
【特許文献１】特開平５−１９９３０４号公報
【発明の開示】
【発明が解決しようとする課題】
【０００４】
しかしながら、従来の加入者側の電話装置では、第３者から呼出しがあった場合には、信号音で被呼者に報知するのみであった。このように信号音で被呼者に報知するのみでは、通話中にかかってきた発呼者が誰なのかは回線を切り替えなければ認識できず、手間と時間がかかり、また回線切替えを行わない場合は、現在通話中の発呼者（先発呼者）および後からかかってきた発呼者（後発呼者）のいずれと優先的に話す必要があるかを被呼者が通話中に選択するための手段がないという問題点があった。
【０００５】
ところで、コールウェイティングのサービスにおいて、通話中に第３者からの着信があった場合、局交換機がこの第３者の電話番号や名前などの情報を送るようになることも考えられる。この様なコールウェイティングでは、通話者は、第３者に通話を切り換える前に、この第３者が誰であるのかを知ることができる。
【０００６】
しかしながら、第３者の情報を局交換機から電話装置へ送信する場合、局交換機から電話装置までの回線がアナログの回線の場合、音声帯域を使って送られることになるが、通話者の音声信号によって局交換機からのデータが壊されるということが考えられる。
【０００７】
本発明は上記従来の問題点を解決するもので、コールウェイティングにおいて局交換機が送信した発呼者（第３者）の情報を安定して受信でき、被呼者が視覚により発呼者の名前や電話番号を認識できる電話装置を提供することを目的とする。
【課題を解決するための手段】
【０００８】
以上の目的を達成するために本発明は、通話中に第３者からの呼出しがあった時に局交換機から入力されるアラート信号を検知するためのアラート信号検知手段と、電話回線から到来する発呼者情報を検出する発呼者情報検出手段と、アラート信号が送られた後から局交換機が発した発呼者情報を受信する時に前記送話回路にミュートをかけるミュート制御手段とを設けたことにより、コールウェイティング時に到来する発呼者情報を音声信号等により壊されないように検出する事が可能となり、検出された発呼者情報を表示装置に表示させる事ができ、通話中に被呼者が視覚により後発呼者の名前や電話番号を認識する
事ができるようになる。
【発明の効果】
【０００９】
以上のように本発明は、通話中に第３者からの呼出しがあった時に局交換機から入力されるアラート信号を検知するためのアラート信号検知手段と、電話回線から到来する発呼者情報を検出する発呼者情報検出手段と、アラート信号が送られた後から局交換機が発した発呼者情報を受信する時に前記送話回路にミュートをかけるミュート制御手段とを設けたことにより、コールウェイティング時に到来する発呼者情報を音声信号等により壊されないように検出する事が可能となり、通話中でも発呼者情報を表示装置により視覚的に認識することができる。
【００１０】
また、発呼者情報検出手段により検出された発呼者情報を記憶装置に記憶させる親機制御手段と、記憶された発呼者情報を発呼者情報信号として送信する発呼者情報送信手段とを有する親機と、親機からの発呼者情報信号を受信して発呼者情報を検出する発呼者情報受信手段を有する子機とを備えたことにより、発呼者情報を子機側で表示装置に表示させることができるので、子機側の被呼者が発呼者情報を視覚的に認識することができる。
【００１１】
さらに、親機制御手段が、他の発呼者からの呼出しに子機が応答したか否かの応答情報を子機から受信して記憶装置に記憶させることにより、子機側で発呼者情報および応答情報を表示することが可能となるので、応答していない発呼者を容易に認識することができ、いずれの発呼者に対して掛けなおすかを容易に判断することが可能な電話装置を実現することができる。
【００１２】
さらに親機より子機へミュート指令データを送信し、子機が受話ミュートをかけている間に親機から発呼者情報を子機へ送信するように構成したことにより、子機においてデータ音がノイズとして聞こえる事がない。
【００１３】
さらに、アラート信号の周波数成分を検出する信号検出手段が信号を検出した時点でミュート回路を制御して送話回路からの出力を停止させるミュート開始制御手段と、信号検出手段が信号を検出してからその信号が所定時間検出され続けた場合にはその信号がアラート信号であると認識し、確認信号送出手段に確認信号を送出させる確認信号送出制御手段と、信号検出手段が信号を検出してからその信号が所定時間検出され続けない場合にはミュート回路のミュート状態を解除させるミュート解除制御手段とを備えた構成により、検知された信号が真のアラート信号であるか否かを判定することができ、音声信号による誤動作を防止することができる。
【発明を実施するための最良の形態】
【００１４】
以下、本発明の実施の形態について図を用いて詳細に説明する。
【００１５】
（実施の形態１）
図１は本発明の第１の実施の形態に係る電話装置を示すブロック図である。図１において、１は電話回線、２は電話回線１を介して入力されるアラート信号を検知するためのアラート信号検知手段、３はアラート信号を検知したことを示すＡＣＫ信号（確認信号）を電話回線１へ送出するＡＣＫ信号送出手段、４は電話回線１から到来する発呼者情報を検出する発呼者情報検出手段である。
【００１６】
５は後述の送話回路１０にミュート（無音）をかけるミュート制御手段である。６は発呼者情報検出手段４で検出された発呼者情報と発呼者に応答したか否かを示す応答情報とを記憶する記憶装置、７は記憶装置６に記憶された発呼者情報と応答情報とを区別して表示する表示装置である。８はマイクロコンピュータにより構成される制御手段である。９
は電話回線１とのインタフェース、１０は音声信号を送出する送話回路、１１は音声信号を入力する受話回路、１２はマイクとスピーカの機能を有するハンドセットである。１３は電話回線１を開閉するためのフックスイッチである。
【００１７】
以上のように構成された電話装置について、その動作を図２のフローチャートを用いて説明する。コールウェイティングの時、局交換機は第３者から呼出しがあったことを知らせるアラート信号を出力し、電話回線１を介して電話装置にアラート信号が入力される。このアラート信号は２１３０Ｈｚと２７５０Ｈｚのデュアルトーンから成り、その信号が８０±５ｍｓの時間幅を持つ。アラート信号検知手段２が２１３０Ｈｚの信号と２７５０Ｈｚの信号を同時に検知すると、その検知出力を制御手段８へ出力し、制御手段８はアラート信号検知手段２からの検知出力が８０±５ｍｓ続くとそれがアラート信号であると判定し、ＡＣＫ信号送出手段３へ通知する（Ｓ１）。
【００１８】
通知を受けたＡＣＫ信号送出手段３は、アラート信号を検知したことを知らせるＡＣＫ信号を電話回線１へ自動的に送出する（Ｓ２）。ＡＣＫ信号は、１６３３Ｈｚと９４１Ｈｚの周波数から構成される６０±５ｍｓの信号であり、電話回線１を介して局交換機へ送られる。
【００１９】
次に制御手段８の指示により、ＡＣＫ信号を電話回線１へ送出してから所定の時間を経て、ミュート制御手段５は送話回路１０にミュートをかける（Ｓ３）。すなわちミュート制御手段５からの信号によって送話回路１０内のミュート回路１０ａを働かせて送話用増幅器のゲインを下げるかまたは増幅器を非動作状態にする。
【００２０】
局交換機はＡＣＫ信号に従って、呼出しをした発呼者（第３者）の情報（発呼者情報：発呼者名，電話番号等）を本発明の電話装置へ送出する。
【００２１】
次に、制御手段８は、電話回線１から到来する発呼者情報を発呼者情報検出手段４が検出したか否かを判別する（Ｓ４）。
【００２２】
図３は、発呼者情報の一例を示すデータ図である。発呼者情報検出手段４は、ステップ４で発呼者情報を検出しなかったと判別するときは、発呼者情報を検出するまで待機状態となる。ステップ４で発呼者情報を検出したと判別したときには制御手段８は発呼者情報を記憶装置６に記憶させる（Ｓ５）。
【００２３】
次に、制御手段８は、発呼者情報検出手段４による発呼者情報の検出が終了したか否かを判別する（Ｓ６）。ステップ６で発呼者情報の検出が終了していないと判別したときは、発呼者情報の記憶装置６への記憶を継続させる（Ｓ５、Ｓ６）。ステップ６で検出が終了したと判別したときは、制御手段８は、ミュート制御手段５により送話回路１０に設定したミュートを解除させる（Ｓ７）。次に表示装置７に図３に示す発呼者情報を表示させる（Ｓ８）。
【００２４】
このように、ミュート制御手段５がミュートをかけるタイミングは、ＡＣＫ信号に応じて電話局の交換機（局交換機）が発呼者情報を送信するタイミングに合わせる。それにより、局交換機が発呼者情報を送信する時に本電話装置からの音声信号等が停止されているので、発呼者情報を受信する際にその発呼者情報が音声信号等により壊されることがない。
【００２５】
次に、制御手段８は被呼者が発呼者に応答したか否かを判別する（Ｓ９）。フックスイッチ１３により一定時間電話回線１を開放するフッキングを行い、被呼者が発呼者からの呼出に応答すれば、制御手段８は、発呼者応答済を示す応答情報を記憶装置６に記憶させ
る（Ｓ１０）。
【００２６】
図４は、記憶装置６に記憶した着呼の履歴すなわちそれまでに受けた発呼者情報と応答情報を表示装置７に表示した場合を示す説明図である。図４において、１４は発呼者の呼出に応答済みか否かを示す応答情報、１５は発呼者の名前、１６は発呼者の電話番号である。図４に示す例では、電話番号「１２３４５」の発呼者「ＡＢＣ」に対しては被呼者は応答済み（○印）であることを示す。
【００２７】
なお、第１の実施の形態においては、制御手段８がマイクロコンピュータから成るとしたが、手段２〜５もマイクロコンピュータで構成されるとしてもよい。また、局交換機から送られる発呼者情報としては、電話番号のみである場合、または発呼者名も付加されている場合などが考えられ、加入している電話会社のサービスによって異なる。もし電話装置内に電話番号と対にその番号をもつ個人または会社等の名前を文字データとして記録した電子電話帳が備わっておれば、たとえ通話中に局交換機から送られる発呼者情報が電話番号のみであっも、電子電話帳をアクセスすることにより送られた電話番号に該当する名前を検索し、表示することも可能である。
【００２８】
以上のように本実施の形態によれば、コールウェイティング時、発呼者情報検出手段４で受信する発呼者情報が電話回線１へ送出される音声信号などにより壊されないようにして発呼者情報を確実に取得することができ、さらにこの発呼者情報と共に発呼者からの呼出に応答したか否かを示す応答情報を記録装置６に記憶し、表示装置７に表示するようにしたので、発呼者情報と応答情報とを視覚的に認識することができ、したがって応答していない発呼者を容易に認識することができ、いずれの発呼者に対して掛けなおすかを容易に判断することができる。
【００２９】
（実施の形態２）
以下、本発明の第２の実施の形態について説明する。図６は、本発明の第２の実施の形態に係る電話装置を示すブロック図であり、親機と子機とから成る電話装置を示す。図６において、２１は電話回線、２２は電話回線２１に接続される親機である。
【００３０】
親機２２において、２３は電話回線２１を介して入力されるアラート信号を検知するためのアラート信号検知手段、２４はアラート信号を検知したことをＡＣＫ信号で知らせるために電話回線２１へＡＣＫ信号（確認信号）を送出するＡＣＫ信号送出手段である。また２５は電話回線２１から到来する発呼者情報を検出する発呼者情報検出手段、２６は後述の送話回路３１にミュートをかけるミュート制御手段、２７は発呼者情報検出手段２５で検出された発呼者情報を記憶する記憶装置、２８は記憶装置２７に記憶された発呼者情報を発呼者情報信号として後述の子機３３へ送信する発呼者情報送信手段、２９はマイクロコンピュータにより構成される親機制御手段である。３０は電話回線２１とのインタフェース、３１は音声信号を送出する送話回路、３２は音声信号を入力する受話回路、ＡＮＴ１は発呼者情報信号を電波信号として放射する親機アンテナである。
【００３１】
３３は親機２２との間で無線通信が可能な子機である。子機３３において、ＡＮＴ２は到来する発呼者情報電波信号を受信する子機アンテナ、３４はＡＮＴ２で受信された発呼者情報信号から発呼者情報を検出する発呼者情報受信手段、３５は発呼者情報受信手段３４で検出された発呼者情報を表示する表示装置、３６はマイクロコンピュータにより構成される子機制御手段である。３７はマイク、３８はスピーカ、３９は送話アンプ、４０は受話アンプである。
【００３２】
以上のように構成された電話装置について、その動作を簡単に説明すると、コールウェイティング時、親機２２の発呼者情報検出手段２５で発呼者情報を検出し、検出した発呼
者情報を記憶装置２７に記憶し、子機３３の表示装置３５で上記発呼者情報を表示する。
【００３３】
次に、図６の装置について、その動作を図５のフローチャートを用いて詳細に説明する。まず、コールウェイティング時に親機２２に電話回線２１を介して第３者から呼出しがあったことを知らせるアラート信号（２１３０Ｈｚと２７５０Ｈｚの信号）が入力されると、アラート信号検知手段２３はその信号を検知して検知出力を親機制御手段２９へ出力する。親機制御手段２９はアラート信号検知手段２３からの検知出力が８０±５ｍｓ続くとそれがアラート信号であると判定し、ＡＣＫ信号送出手段２４へ通知する（Ｓ１１）。通知を受けたＡＣＫ信号送出手段２４は、アラート信号を検知したことを知らせるＡＣＫ信号を電話回線２１へ自動的に送出する（Ｓ１２）。
【００３４】
次に、ミュート制御手段２６は、親機制御手段２９の指示により、送話回路３１にミュートをかけ、送話回路３１内のミュート回路３１ａを働かせて送話用増幅器のゲインを下げる（Ｓ１３）。
【００３５】
次に、親機制御手段２９は、電話回線２１から到来する発呼者情報を発呼者情報検出手段２５が検出したか否かを判別する（Ｓ１４）。発呼者情報検出手段２５は、ステップ１４で発呼者情報を検出しなかったと判別するときは、発呼者情報を検出するまで待機状態となる。ステップ１４で発呼者情報を検出したと判別したときには親機制御手段２９は発呼者情報を記憶装置２７に記憶させる（Ｓ１５）。
【００３６】
次に、親機制御手段２９は、発呼者情報検出手段２５による発呼者情報の検出が終了したか否かを判別する（Ｓ１６）。ステップ１６で発呼者情報の検出が終了していないと判別したときは、発呼者情報の記憶装置２７への記憶を継続させる（Ｓ１５、Ｓ１６）。ステップ１６で発呼者情報の検出が終了したと判別したときは、親機制御手段２９は、ミュート制御手段２６により送話回路３１に設定したミュートを解除させる（Ｓ１７）。ミュートをかけるタイミングを前実施の形態同様、電話局の交換機が発呼者情報を送信するタイミングに合わせることにより、発呼者情報を受信する際にその発呼者情報が音声信号等により壊されることがない。
【００３７】
次に、親機制御手段２９は、記憶装置２７に記憶された発呼者情報を発呼者情報送信手段２８により子機３３へアンテナＡＮＴ１を介して送信させる（Ｓ１８）。
【００３８】
子機３３の発呼者情報受信手段３４は、発呼者情報送信手段２８からＡＮＴ１を介して送信されてきた発呼者情報信号をＡＮＴ２を介して受信し、発呼者情報を検出し（Ｓ１９）、子機制御手段３６はステップ１９で検出した発呼者情報を表示装置３５に表示させる（Ｓ２０）。
【００３９】
なお第２の実施の形態では、子機制御手段３６が発呼者情報を表示装置３５に表示させることだけを記述したが、子機制御手段３６の機能として更に、子機３３で応答したときには応答情報を親機制御手段２９を介して記憶装置２７に記憶させるようにしてもよい。
【００４０】
また、第２の実施の形態においては、親機制御手段２９、子機制御手段３６がマイクロコンピュータから成るとしたが、手段２３〜２６もマイクロコンピュータで構成されるとしてもよい。
【００４１】
以上のように本実施の形態によれば、コールウェイティング時に到来する発呼者情報を検知し、検知した発呼者情報を記憶装置２７に記憶すると共に、この発呼者情報を子機３３へ送って子機３３の表示装置３５に表示するようにしたので、被呼者は親機から離れた子機にて発呼者情報を視覚的に認識することができ、その発呼者情報に対応する発呼者に
通話するか否かを容易に判断することができる。また、応答したか否かを示す応答情報を子機制御手段３６から親機制御手段２９へ送信することにより、発呼者情報と応答情報とを区別して表示装置３５に表示することができるので、応答していない発呼者を容易に認識することができ、いずれの発呼者に対して掛けなおすかを容易に判断することができる。
【００４２】
（実施の形態３）
以下、本発明の第３の実施の形態について説明する。図７は第３の実施の形態に係る電話装置を示すブロック図であり、親機２２の構成は図６に示す構成と同様である。子機４１において、ＡＮＴ２、発呼者情報受信手段３４、表示装置３５は図６に示す構成と同様である。３７はマイク、３８はスピーカ、４２は送話アンプ、４３は受話アンプ、４３ａは受話アンプ４３に設けられたミュート回路である。このように親機と子機からなる電話装置において、図８は本発明の実施の形態におけるタイミングチャートである。
【００４３】
以下その動作について説明する。図８の様にコールウェイティング時、電話回線２１から第３者から呼出しがあったことを知らせるアラート信号として２１３０Ｈｚと２７５０Ｈｚ信号から成るデュアルトーン信号が入力される（Ｓ３２）。アラート信号検知手段２３がその信号を検知すると、ＡＣＫ信号送出手段２４により自動的に電話回線２１へアラート信号を検知したことを知らせるＡＣＫ信号を送出する（Ｓ３３）。
【００４４】
一方、第３者の電話番号や名前は子機の表示装置３５で表示するために、ＡＮＴ１、ＡＮＴ２を介し親機から子機へデータを送信するが、子機は通話状態であるため、いきなり送信するとデータ音が子機のスピーカ３８からノイズとして聞こえてしまう。そこで、データを送信する前にノイズに聞こえない単一周波数のデータ（３００Ｈｚ，時間幅１００ｍｓ×２回）を子機へ送信し（Ｓ３４）、これを検知した子機が受話ミュートをかける（Ｓ３６）。すなわち子機が親機からの前記データを受信すると、子機制御手段３６はミュート回路４３ａへ指令し、受話信号がスピーカ３８へ出力されないようにミュート状態にする。
【００４５】
その後親機は名前や電話番号のデータを子機へ送信するが（Ｓ３５）、子機が受話ミュートをかけているのでデータ音がノイズとして聞こえる事はなく、表示装置３５にて電話番号や名前を表示できる。その後子機がデータ受信を終えるとミュートを解除し、通話状態に復帰する（Ｓ３７）。
【００４６】
上記の実施の形態により、親機と子機からなる電話装置において、コールウェイティング時の表示を子機で行う際に、データ音がノイズとして子機のスピーカーから漏れる事を防止する事ができる。
【００４７】
（実施の形態４）
以下、本発明の第４の実施の形態について説明する。本発明の実施の形態における電話装置の主要部の構成は図１に示す構成と同様である。図９は本発明の実施の形態を示すフローチャートである。
【００４８】
以下その動作について説明する。図９の様にコールウェイティング時、電話回線１から第３者から呼出しがあったことを知らせるアラート信号として２１３０Ｈｚと２７５０Ｈｚ信号から成るデュアルトーン信号が入力される。アラート信号検知手段２が２１３０Ｈｚの信号と２７５０Ｈｚの信号を同時に４０ｍｓの間検知すると（Ｓ２１）、すぐにミュート制御手段５により送話回路１０にミュートをかける（Ｓ２２）。ここでアラート信号検知手段２が最初に検知出力した時点では、検知した信号は真のアラート信号ではなく送話信号による音声誤動作である可能性がある。
【００４９】
そして送話ミュート後もアラート信号検知動作を続け、所定の時間（８０ｍｓ±５ｍｓ）連続して前述の２１３０Ｈｚの信号と２７５０Ｈｚの信号が同時に検知されると、それが真のアラート信号であるとして、ＡＣＫ信号送出手段３により自動的に電話回線１へアラート信号を検知したことを知らせるＡＣＫ信号を送出する（Ｓ２３）。このＡＣＫ信号は、１６３３Ｈｚと９４１Ｈｚの周波数から構成され、６０ｍｓ±５ｍｓの時間幅を持つ。
【００５０】
一方、前述の２１３０Ｈｚの信号と２７５０Ｈｚの信号が所定の時間（８０ｍｓ±５ｍｓ）連続して検知できなかったら、ミュート制御手段５により送話回路１０のミュートをすぐに解除し（Ｓ２４）、アラート信号待ち状態（Ｓ２１）に戻る。例えば送話信号の中にアラート信号に近い周波数成分が含まれてその信号によってアラート信号検知手段２が検知出力した場合でも、送話ミュートをかけた後はアラート信号検知手段２の検知出力はなくなるため、送話ミュートをかけた１０数ｍｓ後にはアラート信号無しを確定する。
【００５１】
このようにすぐに送話回路１０にミュートをかけることにより、アラート信号検知手段２が検知した信号が真のアラート信号であるか、または送話する音声信号による誤動作であるかを判定することができる。従って、送話する音声信号中にアラート信号に近い周波数成分が含まれていてもそれがアラート信号であるとして誤検知することがなく、たとえ最初にアラート信号に近い周波数成分が検知されて送話ミュートがかかったとしても送話ミュートをかけた１０数ｍｓ後にはミュートは解除されるので通話にはほとんど影響を与えない。
【００５２】
ＡＣＫ信号送出後、発呼者情報検出手段４により電話回線１から到来する図９３の様な発呼者情報を検出し（Ｓ２５）、記憶装置６に記憶する（Ｓ２６）。発呼者情報検出手段４により検出が終了していなければ、Ｓ２６に戻り発呼者情報の記憶を継続する（Ｓ２７）。発呼者情報検出手段４により検出が終了していれば、ミュート制御手段５により送話回路１０に設定されたミュートを解除して（Ｓ２８）通話を再開し、表示装置７に発呼者情報を表示する（Ｓ２９）。
【００５３】
その後フッキングの入力が有れば通話相手が交換機によって切り換えられ（Ｓ３０）、記憶装置６に記憶されたその発呼者情報に通話済みの情報を書き込む（Ｓ３１）。
【００５４】
上記の実施の形態により、送話音声信号をコールウェイティング時のアラート信号と誤検知してしまう事に伴う通話中の回線へのＡＣＫ信号出力を防止する事ができ、またミュートによる通話切れ時間を１〜２秒から通話に支障がない１０数ｍｓにまで短縮できる事となる。
【産業上の利用可能性】
【００５５】
本発明にかかる電話装置は、通話中に第３者から呼出しがあったとき、呼出しがあったことを通話中の被呼者に知らせる機能を有するものであり、コールウェイティング時に到来する発呼者情報を音声信号等により壊されないように検出する事が可能となり、通話中でも発呼者情報を表示装置により視覚的に認識することができ、また、発呼者情報および応答情報を表示することが可能となるので、応答していない発呼者を容易に認識することができ、いずれの発呼者に対して掛けなおすかを判断する用途にも適用することができる。
【図面の簡単な説明】
【００５６】
【図１】本発明の第１の実施の形態に係る電話装置を示すブロック図
【図２】同第１の実施の形態に係る電話装置の動作を説明するためのフローチャート
【図３】同第１の実施の形態に係る電話装置における発呼者情報の一例を示すデータ図
【図４】同第１の実施の形態に係る電話装置における発呼者情報と応答情報を表示装置に表示した状態を示す説明図
【図５】本発明の第２の実施の形態に係る電話装置の動作を説明するためのフローチャート
【図６】同第２の実施の形態に係る電話装置を示すブロック図
【図７】本発明の第３の実施の形態に係る電話装置を示すブロック図
【図８】同第３の実施の形態を示すタイミングチャート
【図９】本発明の第４の実施の形態を示すフローチャート
【図１０】コールウェイティングを説明するための説明図
【符号の説明】
【００５７】
１，２１    電話回線
２，２３    アラート信号検知手段
３，２４    ＡＣＫ信号送出手段
４，２５    発呼者情報検出手段
５，２６    ミュート制御手段
６，２７    記憶装置
７，３５    表示装置
８    制御手段
９，３０    インタフェース
１０，３１    送話回路
１１，３２    受話回路
１２    ハンドセット
１３    フックスイッチ
２２    親機
２８    発呼者情報送信手段
２９    親機制御手段
３３    子機
３４    発呼者情報受信手段
３６    子機制御手段
３７    マイク
３８    スピーカ
ＡＮＴ１，ＡＮＴ２    アンテナ
【図１】
0003642337.tif 000002
【図２】
0003642337.tif 000003
【図３】
0003642337.tif 000004
【図４】
0003642337.tif 000005
【図５】
0003642337.tif 000006
【図６】
0003642337.tif 000007
【図７】
0003642337.tif 000008
【図８】
0003642337.tif 000009
【図９】
0003642337.tif 000010
【図１０】
0003642337.tif 000011